(57)【要約】【課題】断熱材の厚み寸法が異なる場合であっても使用できるようにすると共に、それ自体が断熱材の断熱効果を低減することなく、しかも断熱材を根太側面に密着して設置することのできる断熱材支持装置を提供すると共に、更に断熱材支持具を根太に取り付ける際の作業性を向上する。【解決手段】断熱材支持具１は、金属線材を折曲加工することにより一体に形成され、先端に尖鋭部３を有する脚部４と、該脚部の尾端を折返すことにより形成した頭部５と、該頭部から脚部４に隣接して長さＨだけ延びる補助脚部６と、該補助脚部の延長端に形成したストッパ部６ａを備えており、脚部４は、尾端から補助脚部６の長さＨに相当して延びる支持部４ａと、該支持部から尖鋭部３まで延びる埋入部４ｂを構成する。そして頭部５を打撃することにより脚部４を根太の側面１１ｂに打ち付けて支持部４ａが突出するように取り付ける。【選択図】図１
2007291752.tif 000002
【特許請求の範囲】
【請求項１】
床板を支持する根太の間に位置して、所定厚さの断熱材を前記根太の上面とほぼ面一になるように敷設する建築物の床下断熱構造において、根太の側面から前記断熱材の下面を支持する断熱材支持具であり、
断熱材支持具(1)は、金属線材を折曲加工することにより一体に形成され、先端に尖鋭部(3)を有する脚部(4)と、該脚部の尾端を折返すことにより形成した頭部(5)と、該頭部から前記脚部(4)に隣接して長さ(H)だけ延びる補助脚部(6)と、該補助脚部の延長端に形成したストッパ部(6a)を備えており、
前記脚部(4)は、尾端から前記補助脚部(6)の長さ(H)に相当して延びる支持部(4a)と、該支持部から尖鋭部(3)まで延びる埋入部(4b)を構成しており、
前記頭部(5)を打撃することにより脚部(4)を根太の側面(11b)に打ち付け、ストッパ部(6a)を根太の側面に当接させたとき、埋入部(4b)が根太に埋入され、支持部(4a)が根太の側面に突出するように構成されたことを特徴とする断熱材支持装置。
【請求項２】
床板を支持する根太の間に位置して、所定厚さの断熱材を前記根太の上面とほぼ面一になるように敷設する建築物の床下断熱構造において、根太の側面から前記断熱材の下面を支持する断熱材支持具であり、
断熱材支持具(1)は、金属線材を折曲加工することにより一体に形成され、先端に尖鋭部(3)を有する左右一対で互いに平行な脚部(4,4)と、各脚部の尾端を折曲して形成される一対の頭部(5,5)と、該一対の頭部から脚部(4,4)の間に折り返して形成される長さ(H)の補助脚部(6,6)と、該補助脚部の延長端に形成したストッパ部(6a)を備えており、
前記一対の脚部(4,4)は、尾端から前記補助脚部(6,6)の長さ(H)に相当して延びる支持部(4a)と、該支持部から尖鋭部(3)まで延びる埋入部(4b)をそれぞれに構成しており、
前記頭部(5,5)を打撃することにより脚部(4,4)を根太の側面(11b)に打ち付け、ストッパ部(6a)を根太の側面に当接させたとき、埋入部(4b,4b)が根太に埋入され、支持部(4a,4a)が根太の側面に突出するように構成されたことを特徴とする断熱材支持装置。
【請求項３】
請求項１又は２に記載の断熱材支持具を根太側面(11b)に打ち付けるための取付補助装置であって、
根太の側面(11b)に添設自在とされた定規部材(21)と、ほぼ水平姿勢とした断熱材支持具(1)を入口(35a)から装填して出口(35b)から排出する筒体(35)を備えた筒状支持体(22)と、前記定規部材(21)に対して筒状支持体(22)を上下方向に移動自在かつ選択された移動位置で固定自在となるように組付ける結合手段(26,36,23)とから成り、
前記定規部材(21)は、根太の側面(11b)に添設したとき該根太の頂面に一致させられる位置決め手段(28,40)を備えると共に、前記筒状支持体(22)を上下方向に移動したとき根太の頂面から筒体(35)までの距離を表示する目盛手段(31)を設けており、
前記定規部材(21)を根太の側面(11b)に添設し、定規部材(21)に対して所定位置に筒状支持体(22)を固定した状態で、筒体(35)に保持した断熱材支持具(1)を打撃することにより根太の側面(11b)に打ち付けるように構成したことを特徴とする断熱材支持装置における断熱材支持具の取付補助装置。
【請求項４】
前記筒状支持体(22)は、入口(35a)から出口(35b)に至る筒体(35)の筒軸方向の長さを前記断熱材支持具(1)の補助脚部(6)の長さ(H)とほぼ等しく形成しており、
該筒体(35)の出口(35b)を根太の側面(11b)に臨ませ、断熱材支持具(1)の脚部(4)を筒体(35)に挿入保持せしめた状態で、筒体(35)の外側から頭部(5)を打撃することにより埋入部(4b)を根太に進入させると共にストッパ部(6a)を根太の側面に当接させたとき、頭部(5)が入口(35a)に埋入されるように構成したことを特徴とする請求項３記載の断熱材支持装置における断熱材支持具の取付補助装置。
【請求項５】
前記位置決め手段は、位置決め孔(28)と、該位置決め孔(28)に挿脱自在に挿着された水平板(40)とから成り、
前記水平板(40)を位置決め孔(28)に挿着した状態で該水平板(40)を根太の頂面に添設することにより、根太の側面(11b)の上下方向に関する定規部材(21)の位置決め手段を構成し、
前記水平板(40)を位置決め孔(28)から取外した状態で該位置決め孔(28)を根太の側面から頂面に添わせることにより、根太の側面(11b)の上下方向に関する定規部材(21)の位置決め手段を構成することを特徴とする請求項３又は４記載の断熱材支持装置における断熱材支持具の取付補助装置。
【発明の詳細な説明】
【技術分野】
【０００１】
本発明は、建築物の床下断熱構造に関し、特に建築物の床板を支持する根太の間で床下断熱材を支持する断熱材支持装置及び断熱材支持具を根太に打ち付けるための取付補助装置に関する。
【背景技術】
【０００２】
木造建築物の床下構造は、大引に対して直交する複数の根太が所定間隔毎に配置されており、それら複数の根太が床板を支持する構造である。そして所定間隔で配置された根太の間にはパネル状等の剛断熱材（例えば、特許文献１）或いは袋状等の軟断熱材を設けて室内と室外の断熱が行われる。
【０００３】
図１１は床下断熱構造に関する従来の断熱材支持形態を示す図であり、（Ａ）は複数の根太間に設置にした断熱材取付構造を示しており、（Ｂ）はその一部拡大図である。また図１２は断熱材を支持する従来の支持金具を示す斜視図である。従来の支持金具５０は根太１１の長手方向に沿って複数配置される。この支持金具５０は、例えば１枚の金属板を折曲加工して形成され、図１２に示す如く根太１１の上面に係止する係止部５１と、根太上端角部で直角に折れ曲がり根太側面に沿って下方に延びる縦板部５２と、縦板部５２の下端で折れ曲がり根太側面から直角方向に突出する支持部５３から構成される。縦板部５２は床下に設置する断熱材１３の厚み寸法ｔに適合する長さであり、支持部５３に断熱材１３を設置した際、断熱材１３の上面が根太１１の上面にほぼ一致するように取り付けられる。したがって、根太１１に対して床板を設けたとき、断熱材１３が床板下面に密着し、室内を効果的に断熱する。
【０００４】
【特許文献１】特開２００３−２３９４１６号公報
【発明の開示】
【発明が解決しようとする課題】
【０００５】
ところが、床下用の断熱材１３には厚み寸法ｔの異なるタイプが幾つか存在し、厚み寸法ｔが異なれば、根太１１に取り付ける支持金具５０もそれに応じて代える必要がある。そのため業者はあらゆる断熱材に対応するために縦板部５２の長さが異なる複数種類の支持金具５０を予め準備しておかなければならず、膨大な在庫数になる。
【０００６】
また従来の支持金具５０は支持部５３を根太上面に係止する係止部５１で支持する構造のため、図１１（Ｂ）に示す如く支持金具５０自体が根太側面を縦断して断熱材１３の下面側と上面側に連通しており、支持金具５０の熱伝導作用（ヒートブリッジ）によって断熱材下面側の熱が上面側に伝導し、断熱材による断熱効果が低減するという問題が生じる。
【０００７】
更に断熱材１３は縦板部５２の厚みによって根太１１の側面に密着せず、その間に若干の隙間を生じるので、その隙間を介して断熱材下面側の熱が上面側に伝導し、断熱材による断熱効果が低減するという問題も生じる。
【０００８】
本発明は、上記従来の問題点を解決することを目的としてなされたものであり、断熱材の厚み寸法が異なる場合であっても使用でき、必要在庫数を最小限に抑えると共に、それ自体が断熱材の断熱効果を低減することなく、しかも断熱材を根太側面に密着して設置することのできる断熱材支持具を提供する。また更にその断熱材支持具を根太に取り付ける際の作業性を向上する取付補助装置を提供する。
【課題を解決するための手段】
【０００９】
上記目的を達成するため、本発明が第一の解決手段として採用したところは、床板を支持する根太の間に位置して、所定厚さの断熱材を前記根太の上面とほぼ面一になるように敷設する建築物の床下断熱構造において、根太の側面から前記断熱材の下面を支持する断熱材支持具であり、断熱材支持具(1)は、金属線材を折曲加工することにより一体に形成され、先端に尖鋭部(3)を有する脚部(4)と、該脚部の尾端を折返すことにより形成した頭部(5)と、該頭部から前記脚部(4)に隣接して長さ(H)だけ延びる補助脚部(6)と、該補助脚部の延長端に形成したストッパ部(6a)を備えており、前記脚部(4)は、尾端から前記補助脚部(6)の長さ(H)に相当して延びる支持部(4a)と、該支持部から尖鋭部(3)まで延びる埋入部(4b)を構成しており、前記頭部(5)を打撃することにより脚部(4)を根太の側面(11b)に打ち付け、ストッパ部(6a)を根太の側面に当接させたとき、埋入部(4b)が根太に埋入され、支持部(4a)が根太の側面に突出するように構成された点にある。
【００１０】
また本発明が第二の解決手段として採用したところは、床板を支持する根太の間に位置して、所定厚さの断熱材を前記根太の上面とほぼ面一になるように敷設する建築物の床下断熱構造において、根太の側面から前記断熱材の下面を支持する断熱材支持具であり、断熱材支持具(1)は、金属線材を折曲加工することにより一体に形成され、先端に尖鋭部(3)を有する左右一対で互いに平行な脚部(4,4)と、各脚部の尾端を折曲して形成される一対の頭部(5,5)と、該一対の頭部から脚部(4,4)の間に折り返して形成される長さ(H)の補助脚部(6,6)と、該補助脚部の延長端に形成したストッパ部(6a)を備えており、前記一対の脚部(4,4)は、尾端から前記補助脚部(6,6)の長さ(H)に相当して延びる支持部(4a)と、該支持部から尖鋭部(3)まで延びる埋入部(4b)をそれぞれに構成しており、前記頭部(5,5)を打撃することにより脚部(4,4)を根太の側面(11b)に打ち付け、ストッパ部(6a)を根太の側面に当接させたとき、埋入部(4b,4b)が根太に埋入され、支持部(4a,4a)が根太の側面に突出するように構成された点にある。
【００１１】
これらの断熱材支持具は根太側面の任意の高さ位置に直接打ち付けることにより支持部が断熱材を支持するので、断熱材の厚み寸法が異なる場合であっても使用できると共に、断熱材支持具と根太上面を繋ぐ部材が根太側面に沿って配置されることがない。
【００１２】
また、上記の断熱材支持具を根太に取り付ける際の作業性を向上するために、本発明が第三の解決手段として採用したところは、上記第一又は第二の解決手段として採用した構成の断熱材支持具を、根太側面(11b)に打ち付けるための取付補助装置であって、根太の側面(11b)に添設自在とされた定規部材(21)と、ほぼ水平姿勢とした断熱材支持具(1)を入口(35a)から装填して出口(35b)から排出する筒体(35)を備えた筒状支持体(22)と、前記定規部材(21)に対して筒状支持体(22)を上下方向に移動自在かつ選択された移動位置で固定自在となるように組付ける結合手段(26,36,23)とから成り、前記定規部材(21)は、根太の側面(11b)に添設したとき該根太の頂面に一致させられる位置決め手段(28,40)を備えると共に、前記筒状支持体(22)を上下方向に移動したとき根太の頂面から筒体(35)までの距離を表示する目盛手段(31)を設けており、前記定規部材(21)を根太の側面(11b)に添設し、定規部材(21)に対して所定位置に筒状支持体(22)を固定した状態で、筒体(35)に保持した断熱材支持具(1)を打撃することにより根太の側面(11b)に打ち付けるように構成した点にある。
【００１３】
この取付補助装置によれば、定規部材に対して筒状支持体を上下方向に移動させ、結合手段により断熱材の厚み寸法に適した位置に予め固定しておけば、定規部材を根太側面の所定位置に添設するだけで断熱材支持具の打ち付け位置が定まる。そして筒状支持体の筒体に断熱材支持具を装填して頭部を打撃することにより、簡単かつ正確に根太側面に対して断熱材支持具を取り付けることができる。
【００１４】
また上記の取付補助装置において、前記筒状支持体(22)は、入口(35a)から出口(35b)に至る筒体(35)の筒軸方向の長さを前記断熱材支持具(1)の補助脚部(6)の長さ(H)とほぼ等しく形成し、該筒体(35)の出口(35b)を根太の側面(11b)に臨ませ、断熱材支持具(1)の脚部(4)を筒体(35)に挿入保持せしめた状態で、筒体(35)の外側から頭部(5)を打撃することにより埋入部(4b)を根太に進入させると共にストッパ部(6a)を根太の側面に当接させたとき、頭部(5)が入口(35a)に埋入されるように構成することが好ましい。
【００１５】
さらに取付補助装置において、前記位置決め手段は、位置決め孔(28)と、該位置決め孔(28)に挿脱自在に挿着された水平板(40)とから成り、前記水平板(40)を位置決め孔(28)に挿着した状態で該水平板(40)を根太の頂面に添設することにより、根太の側面(11b)の上下方向に関する定規部材(21)の位置決め手段を構成し、前記水平板(40)を位置決め孔(28)から取外した状態で該位置決め孔(28)を根太の側面から頂面に添わせることにより、根太の側面(11b)の上下方向に関する定規部材(21)の位置決め手段を構成することが好ましい。
【発明の効果】
【００１６】
本発明に係る断熱材支持具によれば、脚部先端の尖鋭部を根太側面の所定高さ位置に合わせた状態で頭部を打撃することにより、脚部の埋入部が根太側面に埋入していき、ストッパ部が根太側面に当接すると脚部の埋入が規制されて根太側面に突出する脚部の支持部が断熱材を支持する。そのため、床下に使用する断熱材の厚み寸法に合わせて支持部を設けることができ、異なる厚みの断熱材にも適応し得るものである。したがって、断熱材の厚み毎に在庫を抱える必要はなく、必要在庫数を最小限に抑えることができる。
【００１７】
また断熱材支持具は根太の側面に直接打ち付けて固定するので、断熱材支持具自体が断熱材下面側から上面側に熱伝導させることはなく、断熱材の断熱効果が低減することはない。しかも断熱材支持具の取付位置と根太上面との間を縦断する部材が存在しないので、脚部の支持部に支持される断熱材は根太側面に密着して配置でき、優れた断熱効果を発揮する。
【００１８】
また断熱材支持具の頭部を打撃して設置する際、ストッパ部が根太側面に当接すると脚部の埋入を規制するので、根太側面には常に所定長Ｈの支持部を形成でき、正確且つ均一に断熱材支持具を取り付けることができる。
【００１９】
また本発明に係る取付補助装置によれば、定規部材の位置決め手段に対する筒状支持体の位置を予め断熱材の厚み寸法に合わせて固定しておくことにより、断熱材支持具の打ち付け位置が容易に定まるので、根太上面からの高さ位置を１つ宛測定しながら打ち付け位置を定めていく必要がなくなり、断熱材支持具の取付作業を効率化できる。
【００２０】
また筒状支持体は、入口から出口に至る筒体の筒軸方向の長さを断熱材支持具の補助脚部の長さＨとほぼ等しく形成し、筒体に挿入した断熱材支持具の頭部を外側から打撃することにより埋入部を根太に進入させると共にストッパ部が根太の側面に当接したとき、頭部が筒体の入口に埋入されるように構成すれば、断熱材支持具の頭部が筒体の入口に埋入した時点で適切な取付状態となるので、常に断熱材支持具の取付状態が安定する。
【００２１】
また位置決め手段を、位置決め孔と、該位置決め孔に挿脱自在に挿着された水平板とから成る構成とし、水平板を位置決め孔に挿着した状態では水平板を根太の頂面に添設することにより、根太の側面の上下方向に関する定規部材の位置決め手段を構成する一方、水平板を位置決め孔から取外した状態では位置決め孔を根太の側面から頂面に添わせることにより、根太の側面の上下方向に関する定規部材の位置決め手段を構成することにより、根太の上面に障害物が存在しないときには水平板を位置決め孔に挿着した状態で定規部材の位置決めを簡単に行える一方、根太の上面に柱等の障害物が存在するときには水平板を取外した状態とすることにより、位置決め孔を根太の側面から頂面に添わせて定規部材の位置決めを行える。
【発明を実施するための最良の形態】
【００２２】
以下図面に基づいて本発明の好ましい実施形態を詳述する。図１は本実施形態に係る断熱材支持具１を示す図であり、図２は断熱材支持具１を用いた木造建築物の床下構造を示す図であり、図３は根太側面に打ち付けた状態の断熱材支持具１を示す図である。断熱材支持具１は、両端が釘先の如く尖鋭化された金属製線材２を折曲加工することにより形成され、先端の尖鋭部３を同一方向に向けた互いに平行で直線状の一対の脚部４，４と、その一対の脚部４，４の間の金属製線材２を脚部４，４の間に更に折り返して形成された長さＨの補助脚部６，６を備えて構成される。脚部４，４はそれぞれ先端の尖鋭部３から所定長Ｌの位置で折曲して頭部５，５を形成しており、その頭部５，５から更に金属製線材２を脚部先端３に向けて折曲することにより長さＨの補助脚部６，６の先端にストッパ部６ａが形成されている。ストッパ部６ａから頭部５までの長さＨと、脚部４の長さＬは、Ｈ＜Ｌの関係を満たすように形成されており、全体として左右対称の略Ｍ字状の形態となっている。そして脚部４，４は、それぞれ頭部５から補助脚部６の長さＨに相当して延びる支持部４ａと、支持部４ａから尖鋭部３まで延びる埋入部４ｂを構成している。尚、本実施形態では補助脚部６の先端のストッパ部６ａから頭部５までの長さＨは約３０ｍｍ、脚部４の長さＬは約４８ｍｍ、断熱材支持具１の幅Ｗは約２７ｍｍとして形成される。
【００２３】
木造建築物の床下構造は、図２に示す如く、大引１０に対して直角に配置された根太１１が所定間隔毎に複数本並設されており、上記断熱材支持具１は根太１１の側面に対して直角に打ち付けられて根太１１の側面に棚状の断熱材支持部１２を形成する。そして互いに対向する根太１１の側面に複数の断熱材支持具１を打ち付けた状態とし、それら複数の断熱材支持具１が一対の根太１１，１１の間で断熱材１３の下面側を支持するように構成される。
【００２４】
断熱材支持具１の打ち付け時には、図３に示す如く、断熱材支持具１をほぼ水平な状態として脚部先端の尖鋭部３，３を根太側面１１ｂに当接させ、脚部尾端の頭部５，５をハンマー等で打撃することにより、脚部４，４の埋入部４ｂを根太側面１１ｂに埋入させていく。そして補助脚部６の先端のストッパ部６ａが根太側面１１ｂに当たると、脚部４，４の更なる埋入が規制される。このとき根太側面１１ｂに対する脚部４，４の埋入長Ｄは、Ｄ＝Ｌ−Ｈとなり（図１参照）、断熱材支持具１の支持部４ａは根太側面１１ｂからほぼ垂直に突出する所定長Ｈの断熱材支持部１２を形成する。
【００２５】
また打ち付け時には、図３に示す如く根太１１の上面からの高さ寸法ｈを床下に配置する断熱材１３の厚さ寸法ｔに適合させて打ち付けることにより、断熱材１３を設置した際、断熱材１３の上面を根太１１の上面１１ａに一致させることができる。したがって、根太１１に床板を取り付けると断熱材１３は床板下面にほぼ密着して優れた断熱効果を発揮する。尚、断熱材１３はパネル状等の剛断熱材であっても良いし、袋状等の軟断熱材であっても良い。但し、軟断熱材の場合には撓み防止のため、互いに対向する根太１１，１１間に打ち付けられた断熱材支持具１上に平板を掛け渡し、その平板上に軟断熱材を載置することが好ましい。
【００２６】
このように断熱材支持具１は根太側面１１ｂに対して断熱材１３の厚み寸法ｔに適する任意の高さ位置に設けることができるので、断熱材１３の厚み寸法が異なる場合であっても使用でき、必要在庫数を最小限に抑えことができる。また、この断熱材支持具１は根太側面１に対して直接打設されるので、断熱材１３の側面を縦断する構造物は存在しない。したがって、断熱材支持具１自体が断熱材１３の下面側と上面側の間で熱伝導することはなく、しかも断熱材支持具１によって支持される断熱材１３は根太側面１１ｂに隙間なく密着して設置できるので、断熱材１３による断熱効果を低減することなく、極めて良好な断熱効果が得られる。そして、図示実施形態の場合、一対の支持部４ａと補助脚部６が断熱材１３の下面を支持するように構成される。
【００２７】
ところで、上記断熱材支持具１を断熱材１３の厚み寸法ｔに応じた高さ位置に打ち付ける際、根太上面１１ａからの高さ寸法を１つ宛測定しながら位置決めしていくと、作業効率が極めて悪い。そこで断熱材支持具１の取付作業を効率化するため、図４及び図５に示す取付補助装置２０を用いることが好ましい。
【００２８】
図４は取付補助装置２０を構成する各部材の組み付け図を示しており、図５は取付補助装置２０の一使用例を示す斜視図である。この取付補助装置２０は、根太側面１１ｂに添設自在とされた定規部材２１と、定規部材２１に沿って上下移動可能であると共に断熱材支持具１をほぼ水平な姿勢で入口３５ａから装填して出口３５ｂから排出する筒状支持体２２と、筒状支持体２２を定規部材２１に対して任意の高さ位置で固定する固定手段２３と、定規部材２１を根太１１に対して位置決めするための着脱可能な位置決め板２４を備えている。
【００２９】
定規部材２１は、平板状部材２５の表面に鉛直方向に延設した左右一対で互いに対向するガイド溝２６，２６を備え、それらガイド溝２６，２６の間の平板状部材２５を開口して開放窓２７を形成すると共に、その開放窓２７の上部の平板状部材２５には位置決め板２４を挿通するための位置決め孔２８を水平方向に細長く開口形成した構成である。ガイド溝２６，２６の表面側のガイド壁２９には、ガイド溝２６の内側に連通する鉛直方向の長孔３０が形成されている。またガイド壁２９の表面にはその長孔３０と平行に目盛板３１が付設されている。尚、この目盛板３１には位置決め孔２８の下縁部を基準にした寸法の目盛が付与される。
【００３０】
筒状支持体２２は、断熱材支持具１を略水平姿勢で入口３５ａから挿入して出口３５ｂから排出可能な筒長Ｈの筒体３５と、該筒体３５の左右両側面から垂直に突設した一対のスライド板３６，３６とから成り、スライド板３６，３６には貫通形成された螺子孔３７，３７が設けられる。そして左右のスライド板３６，３６を、定規部材２１のガイド溝２６，２６に挿通することにより、筒状支持体２２は筒体３５の出口３５ｂが定規部材２１の開放窓２７に配置される。螺子３８と座金３９から成る固定手段２３は、定規部材２１の前方側からガイド壁２９の長孔３０に挿通され、ガイド溝２６に配置されたスライド板３６の螺子孔３７に螺挿される。そして螺子３８を締め付ければ、スライド板３６をガイド溝２６に締着して固定できる一方、螺子３８を緩めれば、スライド板３６の締着が解除され、ガイド溝２６に沿って上下方向に移動可能となる。したがって、左右の螺子３８を同時に緩めれば、筒状支持体２２は水平状態を維持したまま上下移動して任意の高さ位置に調整可能であり、左右それぞれに付設された目盛板３１を参照しながら適切な高さ位置で筒状支持体２２を固定することができる。このようにガイド溝２６、スライド板３６及び固定手段２３は、定規部材２１に対して筒状支持体２２を上下方向に移動自在かつ選択された移動位置で固定自在となるように組み付ける結合手段となる。
【００３１】
位置決め板２４は水平板４０と垂直板４１から成る断面Ｌ型であり、定規部材２１の前方側から水平板４０を位置決め孔２８に挿入することにより、水平板４０は平板状部材２５の裏面側に突出すると共に、垂直板４１が位置決め孔２８の縁部に当たって係止される。このとき定規部材２１の平板状部材２５と水平板４０は互いに直角となり、定規部材２１の裏面と水平板４０の下面によって規定されるコーナー部を根太１１の角に押し当てることにより目盛板３１の基準点を根太の頂面に一致させ、取付補助装置２０の位置決めが行われる。したがって、位置決め板２４の水平板４０及び定規部材２１の位置決め孔２８は、定規部材２１を根太の側面１１ｂに添設するとき、根太１１の頂面（上面）に一致させるための位置決め手段となる。
【００３２】
上記構成の取付補助装置２０を使用する際には、目盛板３１を参照しながら、予め筒状支持体２２の高さ位置を、床下に設置する断熱材１３の厚み寸法ｔに適合する位置に合わせて固定しておき、図５に示すように水平板４０を根太上面１１ａに沿わせて定規部材２１の裏面を根太側面１１ｂに押し当てる。そして筒状支持体２２の筒体３５に入口３５ａから断熱材支持具１を挿入する。断熱材支持具１の先端の尖鋭部３が根太側面１１ｂに当たると、断熱材支持具１は筒体３５の入口３５ａから脚部４の埋入長Ｄ（＝Ｌ−Ｈ）に相当する長さ分が露出した状態となる。この状態で断熱材支持具１の頭部５を打撃していけば、断熱材支持具１は脚部の埋入部４ｂを根太側面１１ｂに埋入していくことになる。このとき筒体３５は断熱材支持具１をほぼ水平状態に保持したままで根太側面１１ｂに対して垂直に脚部４を埋進させていく案内手段となる。
【００３３】
図６は取付補助装置２０を用いた断熱材支持具１の打ち付け態様を示す説明図であり、（Ａ）は打ち付け前の状態を示す縦断面図、（Ｂ）は打ち付け後の状態を示す縦断面図である。図６（Ａ）に示すように取付補助装置２０の筒状支持体２２に断熱材支持具１を挿入した状態で、筒状支持体２２から突出する断熱材支持具１の頭部５を打撃すると、断熱材支持具１の脚部４の尖鋭部３が根太側面１１ｂに対して垂直に埋入していく。そして図６（Ｂ）に示すように頭部５が筒状支持体２２の入口３５ａとほぼ同一位置となるまで脚部４が埋入すると、補助脚部６のストッパ部６ａが根太側面１１ｂに当接して断熱材支持具１の設置は完了する。換言すれば、ストッパ部６ａが根太側面１１ｂに当接したときには、頭部５が筒状支持体２２の入口３５ａに埋入して、それ以上に頭部５を打撃することが困難な状態になり、断熱材支持具１の打設が完了したことを把握できると共に、均質な打設が可能になる。
【００３４】
本実施形態では筒状支持体２２の筒長が断熱材支持具１の補助脚部６の長さＨに等しい場合を例示しているが、筒長を補助脚部６の長さＨよりも小さくしても良い。但し、この場合には頭部５が筒状支持体２２の入口３５ａとほぼ同一位置となることはなく、それ以前に補助脚部６のストッパ部６ａが作用して脚部４の埋入が規制される。そして取付補助装置２０を前方側（図６では右方向）に引き出せば、根太側面１１ｂに打ち付けた断熱材支持具１を残しつつ、取付補助装置２０を取り外すことができる。その後、別の打ち付け箇所に取付補助装置２０を設置して同様の作業を繰り返す。
【００３５】
上記のようにして根太側面１１ｂに取り付けられた断熱材支持具１で構成される断熱材支持部１２に断熱材１３を設置すると、図７に示す状態となる。すなわち、断熱材支持具１で構成される水平な棚状の断熱材支持部１２が断熱材１３の下面を支持し、断熱材１３の上面と根太上面１１ａが同一平面に位置すると共に、断熱材１３の側面が根太側面１１ｂに密着する。したがって、取付補助装置２０を用いて断熱材支持具１を打ち付ける場合、予め筒状支持体２２の高さ位置を床下に設置する断熱材１３の厚み寸法ｔに適合する位置に固定しておけば極めて容易に断熱材支持具１の打ち付け高さを位置決めできるので、根太上面１１ａからの高さ寸法を１つ宛測定しながら位置決めしていく必要がなくなり、作業効率が向上する。
【００３６】
また取付補助装置２０の位置決め板２４は定規部材２１の位置決め孔２８に対して挿脱自在であり、断熱材支持具１を打ち込む根太１１の上面１１ａに障害物が存在しないときには、上述の如く位置決め板２４を装着して水平板４０を根太１１の上面１１ａに沿わせた状態で定規部材２１を位置決めすることができるが、根太１１の上面１１ａに柱等が設けられており、水平板４０を根太１１の上面１１ａに沿わせることができない場合には位置決め板２４を取り外した状態で取付補助装置２０を使用する。
【００３７】
図８は根太上面に柱等が存在する場合における取付補助装置２０を用いた断熱材支持具１の打ち付け態様を示す説明図であり、（Ａ）は打ち付け前の状態を示す縦断面図、（Ｂ）は打ち付け後の状態を示す縦断面図である。この場合、図８（Ａ）に示すように位置決め板２４を定規部材２１の位置決め孔２８から取り外し、位置決め孔２８の下縁が根太１１の上面ラインに沿うように定規部材２１を根太側面に添わせて配置し、手で押さえておく。その状態で、取付補助装置２０の筒状支持体２２に断熱材支持具１を挿入し、筒状支持体２２から突出する断熱材支持具１の頭部５を打撃する。これにより断熱材支持具１の脚部４の埋入部４ｂが根太側面１１ｂに対して垂直に埋入していく。そして図８（Ｂ）に示すように脚部４の埋進が補助脚部６のストッパ部６ａによって規制されるようになると断熱材支持具１の設置は完了する。そして取付補助装置２０を前方側（図８では右方向）に引き出せば、根太側面１１ｂに打ち付けた断熱材支持具１を残しつつ、取付補助装置２０を取り外すことができる。その後、別の打ち付け箇所に取付補助装置２０を設置して同様の作業を繰り返す。このようにして柱等が設けられた根太側面１１ｂであっても取付補助装置２０を用いることにより、適切な高さ位置に断熱材支持具１を打ち込むことができる。
【００３８】
したがって、水平板４０と位置決め孔２８は、根太上面に柱等の障害物がない場合には水平板４０を位置決め孔２０に挿着した状態とし、水平板４０を根太の頂面に添設することにより、根太の側面１１ｂの上下方向に関する定規部材２１の位置決め手段を構成するが、根太上面に柱等が存在する場合には水平板４０を位置決め孔２８から取外した状態として位置決め孔２８を根太の側面から頂面に添わせることにより、根太の側面１１ｂの上下方向に関する定規部材２１の位置決め手段を構成するので、断熱材支持具１の打ち付け箇所の状況に応じた使用が可能である。
【００３９】
尚、図１に示した断熱材支持具１は脚部４の尾端をほぼ直角に折り曲げて頭部５を形成した態様であるが、図９に示す態様の断熱材支持具１ａであっても構わない。尚、図９では既述した構成部材と同様の構成部材については同一符号を付している。この断熱材支持具１ａが第１実施形態の断熱材支持具１と異なる点は、金属製線材２の折曲箇所をＰ１，Ｐ２，Ｐ３の３箇所として、脚部４、頭部５、補助脚部６及びストッパ部６ａを構成した点にあるが、このような断熱材支持具１ａであっても、作用効果の点で上述した断熱材支持具１と何ら変わるところはなく、上記と同等の作用効果を得ることができる。
【００４０】
また図１０（Ａ）、（Ｂ）に示す断熱材支持具１ｂ，１ｃであっても良い。図１０（Ａ）及び（Ｂ）に示す断熱材支持具１ｂ，１ｃはそれぞれ、先端３が尖鋭化された金属製線材２を折曲加工することにより、先端の尖鋭部３を含む直線状の脚部４と、脚部尾端の折返すことにより形成した頭部５と、該頭部５から脚部４に隣接して長さＨだけ延びる補助脚部６と、補助脚部６の延長端に形成したストッパ部６ａを備えており、脚部４は尾端から補助脚部６の長さＨに相当して延びる支持部４ａと、該支持部４ａから尖鋭部３まで延びる埋入部４ｂを構成しているが、図１及び図９に示したような左右対称形ではない形態として構成される。この場合であっても、頭部５を打撃することにより脚部先端３が根太側面に埋入していくと共に、補助脚部６が根太側面に当接することにより脚部４の埋入が規制され、根太側面に所定長Ｈの棚状の断熱材支持部を形成できる。補助脚部６の先端のストッパ部６ａは、図１０（Ａ）に示すように尖鋭化されていない金属製線材２の端部で構成しても良いし、図１０（Ｂ）に示すように金属製線材２の端部を折り曲げて構成しても良い。このような断熱材支持具１ｂ，１ｃであっても、作用効果の点で上述した断熱材支持具１及び１ａと何ら変わるところはなく、同等の作用効果を得ることができる。この際、根太側面に対して脚部４と補助脚部６を水平方向に整列して打ち付けることにより、断熱材１３の下面を支持部４ａと補助脚部６により支持することができる。
【図面の簡単な説明】
【００４１】
【図１】本発明に係る断熱材支持具の一例を示す平面図である。
【図２】本発明に係る断熱材支持具を適用した木造建築物の床下構造を示す図である。
【図３】根太側面に打ち付けた状態の断熱材支持具を示す拡大図である。
【図４】取付補助装置を構成する各部材の組み付け図である。
【図５】取付補助装置の一使用例を示す斜視図である。
【図６】取付補助装置を用いた断熱材支持具の打ち付け態様を示す説明図であり、（Ａ）は打ち付け前の状態を示す縦断面図、（Ｂ）は打ち付け後の状態を示す縦断面図である。
【図７】根太側面に取り付けられた断熱材支持具に断熱材を設置した状態を示す断面図である。
【図８】根太上面に柱等が存在する場合における取付補助装置を用いた断熱材支持具の打ち付け態様を示す説明図であり、（Ａ）は打ち付け前の状態を示す縦断面図、（Ｂ）は打ち付け後の状態を示す縦断面図である。
【図９】図１とは異なる形態の断熱材支持具を示す平面図である。
【図１０】図１及び図９とは異なる断熱材支持具を示す平面図であり、１本の脚部で構成した断熱材支持具を示す図である。
【図１１】床下断熱構造に関する従来の断熱材支持形態を示す図であり、（Ａ）は複数の根太間に設置にした断熱材取付構造を示しており、（Ｂ）はその一部拡大図である。
【図１２】断熱材を支持する従来の支持金具を示す斜視図である。
【符号の説明】
【００４２】
１，１ａ，１ｂ，１ｃ  断熱材支持具
２  金属製線材
３  尖鋭部
４  脚部
４ａ  支持部
４ｂ  埋入部
５  頭部
６  補助脚部
６ａ  ストッパ部
２０  取付補助装置
２１  定規部材
２２  筒状支持体
２３  固定手段
２４  位置決め板
２６  ガイド溝
２７  開放窓
２８  位置決め孔
３５  筒体
３５ａ  入口
３５ｂ  出口
３６  スライド板
４０  水平板
【図１】
2007291752.tif 000003
【図２】
2007291752.tif 000004
【図３】
2007291752.tif 000005
【図４】
2007291752.tif 000006
【図５】
2007291752.tif 000007
【図６】
2007291752.tif 000008
【図７】
2007291752.tif 000009
【図８】
2007291752.tif 000010
【図９】
2007291752.tif 000011
【図１０】
2007291752.tif 000012
【図１１】
2007291752.tif 000013
【図１２】
2007291752.tif 000014